(57)【特許請求の範囲】
【請求項１】
天井に取り付けられる室内ユニット本体（21）と、
上記室内ユニット本体（21）の内部に配置される熱交換器（33）と、
上記室内ユニット本体（21）の内部において上記熱交換器（33）の下側に配置され、上記熱交換器（33）で生じるドレン水を受け止めるドレンパン（35）と、
水平面に対する上記室内ユニット本体（21）の傾斜角度と、上記水平面に対して上記室内ユニット本体（21）が傾斜している方向とを検出する傾斜センサ（40）と、
上記室内ユニット本体の運転動作を遠隔制御する空調コントローラ（80）と、
を備え、
上記空調コントローラ（80）は、上記傾斜センサ（40）の検出結果を表す情報を報知する報知部（82）を有し、
上記報知部（82）が報知する上記情報は、上記室内ユニット本体（21）が傾斜している方向及びその方向における上記傾斜角度を表すものである
ことを特徴とする空気調和装置。
【請求項２】
天井に取り付けられる室内ユニット本体（21）と、
上記室内ユニット本体（21）の内部に配置される熱交換器（33）と、
上記室内ユニット本体（21）の内部において上記熱交換器（33）の下側に配置され、上記熱交換器（33）で生じるドレン水を受け止めるドレンパン（35）と、
水平面に対する上記室内ユニット本体（21）の傾斜角度を検出する傾斜センサ（40）と、
上記室内ユニット本体の運転動作を遠隔制御する空調コントローラ（80）と、
上記傾斜センサ（40）の検出結果を補正するためのオフセット値を記憶する記憶部（61）と、
上記傾斜センサ（40）の検出結果を、上記記憶部（61）が記憶している上記オフセット値に基づき補正する補正部（62b）と、
を備え、
上記空調コントローラ（80）は、上記傾斜センサ（40）の検出結果を報知する報知部（82）を有し、
上記報知部（82）は、上記補正部（62b）の補正結果を上記傾斜センサ（40）の検出結果として報知する
ことを特徴とする空気調和装置。
【請求項３】
請求項１または２において、
上記報知部（82）は、上記室内ユニット本体（21）の傾斜角度が所定角度範囲外となった場合に、その旨を所定角度超過情報（82b）として報知する
ことを特徴とする空気調和装置。
【請求項４】
請求項３において、
上記報知部（82）は、上記室内ユニット本体（21）の傾斜角度が上記所定角度範囲内となった場合に、上記所定角度超過情報（852b）の報知を停止する
ことを特徴とする空気調和装置。
【請求項５】
請求項１から４のいずれか１つにおいて、
上記傾斜センサ（40）は、上記ドレンパン（35）に取り付けられる
ことを特徴とする空気調和装置。
【請求項６】
請求項２において、
上記傾斜センサ（40）は、上記室内ユニット本体（21）が天井に取り付けられる前に該室内ユニット本体（21）に取り付けられ、
上記室内ユニット本体（21）が天井に取り付けられる前、上記傾斜センサ（40）が取り付けられている状態における上記傾斜センサ（40）の検出結果を上記オフセット値として把握し上記記憶部（61）に記憶させる把握部（62a）、を更に備え、
上記補正部（62b）は、上記室内ユニット本体（21）が天井に取り付けられた後に上記傾斜センサ（40）が検出して出力する上記検出結果を、上記把握部（62a）によって把握され上記記憶部（61）に記憶された上記オフセット値に基づき補正する
ことを特徴とする空気調和装置。
【発明の詳細な説明】
【技術分野】
【０００１】
本発明は、天井に設置されるタイプの室内ユニットを備えた空気調和装置に関するものである。
【背景技術】
【０００２】
室内ユニットには、天井に設置されるタイプのものがある。室内ユニットにおける室内ユニット本体の内部には、熱交換器の下部にドレンパンが配置されている。
【０００３】
ドレンパン内のドレン水が漏れることを防止するためには、室内ユニットをできる限り水平に天井に取り付けることが望まれる。そのため、一般的には、室内ユニットを天井に据え付ける作業者は、室内ユニット本体の外表面に水準器を押し当てて、室内ユニット本体が天井に対して水平であるか否かを確認しながら据付作業を行っている。
【０００４】
また、他の事例としては、特許文献１に示されるように、室内ユニット本体の外表面に予め水準器が設けられているものがある。
【先行技術文献】
【特許文献】
【０００５】
【特許文献１】特開平４−２８３３２６号公報
【発明の概要】
【発明が解決しようとする課題】
【０００６】
しかしながら、上記特許文献１に係る室内ユニットでは、室内ユニット本体が水平に取り付けられているか否かの確認の際、作業者は、脚立にのぼる等して天井に据え付けられた室内ユニット本体の直近に移動し、高所にて確認作業を行う必要がある。しかも、水平に取り付けられているか否かの確認対象となる室内ユニットが複数ある場合、作業者は、室内ユニット毎にこの動作を行う必要がある。そのため、室内ユニットの据付台数が多い程、作業者が繰り返す移動回数は多くなり、作業者による作業効率は著しく低下すると共に、安全性の観点からも好ましいとは言い難い。
【０００７】
本発明は、かかる点に鑑みてなされたものであり、その目的は、室内ユニット本体が天井に水平に取り付けられているか否かの確認作業を、安全に且つ効率的に行うことのできる空気調和装置を提供することである。
【課題を解決するための手段】
【０００８】
第１の発明は、天井に取り付けられる室内ユニット本体（21）と、上記室内ユニット本体（21）の内部に配置される熱交換器（33）と、上記室内ユニット本体（21）の内部において上記熱交換器（33）の下側に配置され、上記熱交換器（33）で生じるドレン水を受け止めるドレンパン（35）と、水平面に対する上記室内ユニット本体（21）の傾斜角度と、上記水平面に対して上記室内ユニット本体（21）が傾斜している方向とを検出する傾斜センサ（40）と、上記室内ユニット本体の運転動作を遠隔制御する空調コントローラ（80）と、を備え、上記空調コントローラ（80）は、上記傾斜センサ（40）の検出結果を表す情報を報知する報知部（82）を有し、上記報知部（82）が報知する上記情報は、上記室内ユニット本体（21）が傾斜している方向及びその方向における上記傾斜角度を表すものであることを特徴とする空気調和装置である。
【０００９】
ここでは、室内ユニット（20）の天井（CE）への据付の際、傾斜センサ（40）によって室内ユニット本体（21）の水平面に対する傾斜角度が検出される。その検出結果は、室内ユニット本体（21）とは別途設けられ該室内ユニット本体（21）を遠隔制御する空調コントローラ（80）にて報知される。これにより、室内ユニット（20）の据付が一旦完了した後の場面等において、作業者や作業者以外の人は、室内ユニット本体（21）に近づくことなく、空調コントローラ（80）を介して室内ユニット本体（21）が水平であるか否かを確認できる。従って、室内ユニット本体（21）が天井（CE）に水平に取り付けられているか否かの確認作業は、安全に且つ効率的に行われる。そして、作業者は、空調コントローラ（80）に報知された傾斜センサ（40）の検出結果に基づき、室内ユニット本体（21）がより水平となるように室内ユニット本体（21）の取り付け角度を微調整することができる。従って、室内ユニット本体（21）を、天井（CE）に精度良く水平に取り付けることができ、ドレン水がドレンパン（35）から漏れることを防ぐことができる。また、室内ユニット本体（21）は水平に精度良く天井（CE）に取り付けられるため、ドレンパン（35）の深さを浅くすることができる。従って、ドレンパン（35）の深さが浅くなった分だけ、ドレンパン（35）の上側に配置された熱交換器（33）の下部部分は、ドレンパン（35）によって空気の通りが遮られなくなるため、その分熱交換効率が上昇する。
【００１０】
更に、ここでは、作業者は、室内ユニット本体（21）が水平であるか否かのみならず、傾斜している方向及びその方向における傾斜角度も知ることができる。従って、作業者は、その情報に基づき、室内ユニット本体（21）をより水平に天井（CE）に取り付けるための微調整を行うことができる。
【００１１】
第２の発明は、天井に取り付けられる室内ユニット本体（21）と、上記室内ユニット本体（21）の内部に配置される熱交換器（33）と、上記室内ユニット本体（21）の内部において上記熱交換器（33）の下側に配置され、上記熱交換器（33）で生じるドレン水を受け止めるドレンパン（35）と、水平面に対する上記室内ユニット本体（21）の傾斜角度を検出する傾斜センサ（40）と、上記室内ユニット本体の運転動作を遠隔制御する空調コントローラ（80）と、上記傾斜センサ（40）の検出結果を補正するためのオフセット値を記憶する記憶部（61）と、上記傾斜センサ（40）の検出結果を上記オフセット値に基づき補正する補正部（62b）と、を備え、上記空調コントローラ（80）は、上記傾斜センサ（40）の検出結果を報知する報知部（82）を有し、上記報知部（82）は、上記補正部（62b）の補正結果を上記傾斜センサ（40）の検出結果として報知することを特徴とする空気調和装置である。
【００１２】
ここでは、室内ユニット（20）の天井（CE）への据付の際、傾斜センサ（40）によって室内ユニット本体（21）の水平面に対する傾斜角度が検出される。その検出結果は、室内ユニット本体（21）とは別途設けられ該室内ユニット本体（21）を遠隔制御する空調コントローラ（80）にて報知される。これにより、室内ユニット（20）の据付が一旦完了した後の場面等において、作業者や作業者以外の人は、室内ユニット本体（21）に近づくことなく、空調コントローラ（80）を介して室内ユニット本体（21）が水平であるか否かを確認できる。従って、室内ユニット本体（21）が天井（CE）に水平に取り付けられているか否かの確認作業は、安全に且つ効率的に行われる。そして、作業者は、空調コントローラ（80）に報知された傾斜センサ（40）の検出結果に基づき、室内ユニット本体（21）がより水平となるように室内ユニット本体（21）の取り付け角度を微調整することができる。従って、室内ユニット本体（21）を、天井（CE）に精度良く水平に取り付けることができ、ドレン水がドレンパン（35）から漏れることを防ぐことができる。また、室内ユニット本体（21）は水平に精度良く天井（CE）に取り付けられるため、ドレンパン（35）の深さを浅くすることができる。従って、ドレンパン（35）の深さが浅くなった分だけ、ドレンパン（35）の上側に配置された熱交換器（33）の下部部分は、ドレンパン（35）によって空気の通りが遮られなくなるため、その分熱交換効率が上昇する。
【００１３】
また、ここでは、傾斜センサ（40）の検出結果はオフセット値に基づき補正され、補正後の結果は空調コントローラ（80）に報知される。これにより、傾斜センサ（40）の検出結果に個体差に基づく出力誤差（ばらつき）があるとしても、当該検出結果を補正した結果である補正結果に基づいて、作業者は、室内ユニット本体（21）が水平であるか否かを確認し、室内ユニット（20）の取り付け角度の微調整を行うことができる。そのため、作業者は、傾斜センサの出力誤差の影響を受けることなく、室内ユニット本体（21）を水平となるように天井（CE）により精度良く取り付けることができる。従って、ドレン水がドレンパン（35）から漏れることをより確実に防ぐことができる。
【００１４】
第３の発明は、第１の発明または第２の発明において、上記報知部（82）は、上記室内ユニット本体（21）の傾斜角度が所定角度範囲外となった場合に、その旨を所定角度超過情報（82b）として報知することを特徴とする。
【００１５】
ここでは、室内ユニット本体（21）がある程度傾斜して所定角度範囲を超えれば、その旨が報知される。従って、所定角度範囲の上限値及び下限値が、ドレン水の漏れる虞が極力少なくなる許容角度範囲の下限値や上限値に設定されていれば、傾斜角度が所定角度範囲外となった旨が報知されることで、作業者は、その旨を知ることができる。
【００１６】
第４の発明は、第３の発明において、上記報知部（82）は、上記室内ユニット本体（21）の傾斜角度が上記所定角度範囲内となった場合に、上記所定角度超過情報（852b）の報知を停止することを特徴とする。
【００１７】
第５の発明は、第１の発明から第４の発明のいずれか１つにおいて、上記傾斜センサ（40）は、上記ドレンパン（35）に取り付けられることを特徴とする。
【００１８】
ここでは、傾斜センサ（40）は、ドレンパン（35）の水平面に対する傾斜角度を検出する。そのため、作業者は、ドレンパン（35）からドレン水が漏れないように、より精度良く室内ユニット本体（21）を水平に近づけることができる。
【００１９】
第６の発明は、第２の発明において、上記傾斜センサ（40）は、上記室内ユニット本体（21）が天井に取り付けられる前に該室内ユニット本体（21）に取り付けられ、上記室内ユニット本体（21）が天井に取り付けられる前、上記傾斜センサ（40）が取り付けられている状態における上記傾斜センサ（40）の検出結果を上記オフセット値として把握し上記記憶部（61）に記憶させる把握部（62a）、を更に備え、上記補正部（62b）は、上記室内ユニット本体（21）が天井に取り付けられた後に上記傾斜センサ（40）が検出して出力する上記検出結果を、上記把握部（62a）によって把握され上記記憶部（61）に記憶された上記オフセット値に基づき補正することを特徴とする。
【００２０】
傾斜センサ（40）は、例えばドレンパン（35）に取り付けられるが、傾斜センサ（40）が予め有する個体差による出力誤差に加え、更に取り付け状態においても傾斜センサ（40）の出力にばらつきが生じる虞がある。出力誤差及び取り付け誤差が生じていると、室内ユニット本体（21）を水平に精度良く天井（CE）に取り付けることは、より困難を極める。しかし、この空気調和装置（10）は、室内ユニット本体（21）が天井（CE）に取り付けられる前の傾斜センサ（40）の検出結果がオフセット値として予め把握され、実際に天井（CE）に室内ユニット本体（21）が取り付けられた際の傾斜センサ（40）の検出結果は、このオフセット値によって補正され報知される。これにより、報知される情報は、実際の室内ユニット本体（21）の状態を表す精度の高い情報であるため、作業者は、傾斜センサ（40）の出力誤差及び取り付け誤差に惑わされることなく、室内ユニット本体（21）をより水平に近づけることができる。
【発明の効果】
【００２１】
本発明によれば、室内ユニット本体（21）が天井（CE）に水平に取り付けられているか否かの確認作業は、安全に且つ効率的に行われる。また、ドレン水がドレンパン（35）から漏れることを防ぐことができる。更に、ドレンパン（35）の深さが浅くなった分だけ、熱交換器（33）の熱交換効率が上昇する。また、作業者は、報知された情報に基づき、室内ユニット本体（21）を天井（CE）により水平に取り付けるための微調整を行うことができる。
【００２２】
また、本発明によれば、室内ユニット本体（21）が天井（CE）に水平に取り付けられているか否かの確認作業は、安全に且つ効率的に行われる。また、ドレン水がドレンパン（35）から漏れることを防ぐことができる。更に、ドレンパン（35）の深さが浅くなった分だけ、熱交換器（33）の熱交換効率が上昇する。また、作業者は、傾斜センサの出力誤差の影響を受けることなく、室内ユニット本体（21）を水平となるように天井（CE）により精度良く取り付けることができる。従って、ドレン水がドレンパン（35）から漏れることをより確実に防ぐことができる。
【００２３】
また、上記第３の発明によれば、傾斜角度が所定角度範囲外となった旨が報知されることで、作業者は、その旨を知ることができる。
【００２４】
また、上記第５の発明によれば、作業者は、ドレンパン（35）からドレン水が漏れないように、より精度良く室内ユニット本体（21）を水平に近づけることができる。
【００２５】
また、上記第６の発明によれば、作業者は、傾斜センサ（40）の出力誤差及び取り付け誤差に惑わされることなく、室内ユニット本体（21）をより水平に近づけることができる。
【図面の簡単な説明】
【００２６】
【図１】図１は、空気調和装置の外観斜視図である。
【図２】図２は、室内ユニットの縦断面図である。
【図３】図３は、室内制御部及びこれに接続された各種機器を模式的に示すブロック図である。
【図４】図４は、傾斜センサが検出できる室内ユニット本体の傾斜方向及び傾斜角度を例示した図である。
【図５】図５は、オフセット値の把握の際、室内ユニットが取る姿勢を例示した図である。
【図６】図６は、室内ユニット本体の傾斜に関する情報の表示例である。
【発明を実施するための形態】
【００２７】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２８】
≪実施形態≫
＜概要＞
図１に示すように、本実施形態に係る空気調和装置（10）は、主として、室内ユニット（20）と、空調コントローラ（80）とを備える。室内ユニット（20）は、空調対象空間である室内の天井（CE）に埋め込まれることで（図２参照）、天井（CE）に設置されるタイプの室内ユニットである。室内ユニット（20）は、屋外に設置された室外ユニット（図示せず）と冷媒配管を介して接続され、冷房運転及び暖房運転を含む空気調和運転を行うことができる。
【００２９】
空調コントローラ（80）は、例えば室内の壁面に取り付けられている。空調コントローラ（80）は、電気配線を介して室内ユニット（20）と直接接続されている。空調コントローラ（80）を介してユーザにより運転指示等が入力されると、空調コントローラ（80）は、当該指示を室内ユニット（20）に出力する。これにより、室内ユニット（20）は、空気調和運転を行う。即ち、空調コントローラ（80）は、室内ユニット（20）の運転動作を遠隔制御することができる。
【００３０】
また、本実施形態では、室内ユニット（20）の天井（CE）への据付時、室内ユニット本体（21）が水平に取り付けられているか否かが、空調コントローラ（80）を介して表示されるが、これについては後述する。
【００３１】
＜室内ユニット＞
図１〜３に示すように、室内ユニット（20）は、主として、室内ユニット本体（21）と、室内ファン（31）と、室内熱交換器（33）と、ドレンパン（35）と、傾斜センサ（40）と、室内制御部（60）とを備える。
【００３２】
−室内ユニット本体−
図２に示すように、室内ユニット本体（21）は、室内の天井（CE）に形成された開口に挿入され配置されている。図１及び図２に示すように、室内ユニット本体（21）は、室内ケーシング（22）を有する。
【００３３】
室内ケーシング（22）は、天板（23）と、天板（23）の周縁部から下方に延びる側板（24）と、側板（24）の下端部に接触し天板（23）と略平行な略４角形状の下板（25）と、で構成される箱状の形状である。下板（25）には、概ね中央に位置する略４角形状の１つの吸い込み口（25a）と、吸い込み口（25a）を囲う環状の吹き出し口（25b）とが形成されている。
【００３４】
吸い込み口（25a）には、グリルパネル（50）が設置されている。図１に示すように、グリルパネル（50）は、中央に吸込グリルが形成された略４角形の板状部材であって、環状の吹き出し口（25b）の内側に位置している。空気調和運転時、グリルパネル（50）は、吸い込み口（25a）を塞ぐようにして、室内ケーシング（22）の下板（25）に取り付けられている。即ち、空気調和運転時、グリルパネル（50）は、室内ケーシング（22）に収納されており、吸込グリル部分から室内ケーシング（22）内へと空気を導入する。また、グリルパネル（50）は、室内ユニット（20）のメンテナンス時には、ワイヤ（図示せず）によって室内ケーシング（22）の下方に下降したり、吸い込み口（25a）を塞ぐ位置に上昇したりすることができる。そして、図２に示すように、グリルパネル（50）のうち、室内ケーシング（22）内部を向く面には、吸入フィルタ（51）が着脱可能に取り付けられている。吸入フィルタ（51）は、室内ケーシング（22）内に吸い込まれる空気から塵埃を除去するものであって、メンテナンス時には、取り外され交換される部品である。
【００３５】
吹き出し口（25b）には、下板（25）の各辺に沿って延びる水平羽根（27）が、下板（25）の各辺に対応して４つ設けられている。水平羽根（27）は、下板（25）に対し回動可能に設けられており、吹き出し口（25b）から吹き出される空気の風向を変更させることができる。水平羽根（27）の回動角度は、図３の羽根駆動モータ（27a）によって調整される。
【００３６】
このような室内ユニット本体（21）は、天板（23）が天井（CE）に対向するようにして、且つ、側板（24）が天板（23）からある程度の深さまで天井（CE）内に埋め込まれるようにして、天井（CE）に取り付けられる。
【００３７】
図２に示すように、室内ユニット本体（21）の内部には、室内ファン（31）、室内熱交換器（33）、ドレンパン（35）、傾斜センサ（40）、パネル駆動ユニット（55）が収納されている。図３では示していないが、室内ユニット本体（21）の内部には、室内制御部（60）も収納されている。
【００３８】
−室内ファン−
室内ファン（31）は、遠心送風機で構成されており、図２に示すように、室内ケーシング（22）の天板（23）の中央に位置する室内ファンモータ（31a）によって駆動される。室内ファン（31）は、室内の空気を吸い込み口（25a）から吸い込むと共に、室内熱交換
器（33）にて熱交換された後の空気を吹き出し口（25b）を介して室内ケーシング（22）内から吹き出す。室内ファンモータ（31a）は、室内制御部（60）によって回転数制御が行われ、これにより室内ファン（31）の風量が制御される。
【００３９】
−室内熱交換器−
室内熱交換器（33）は、室内ファン（31）の周囲を囲むようにして曲げられて配置されている。室内熱交換器（33）は、例えばフィンチューブ型の熱交換器で構成され、冷媒と室内ケーシング（22）内に吸い込まれた空気との間で熱交換を行う。室内熱交換器（33）は、冷房運転時には冷媒の蒸発器として機能することにより空気を冷却し、暖房運転時には冷媒の放熱器として機能することにより空気を加熱する。
【００４０】
−ドレンパン−
図２に示すように、ドレンパン（35）は、室内熱交換器（33）の下側に配置されている。ドレンパン（35）は、室内熱交換器（33）側（即ち上側）が開口した箱状の形状を有しており、室内熱交換器（33）によって生じるドレン水を受け止める。ドレンパン（35）付近には、吸い込み口（25a）から吸い込まれた空気を室内ファン（31）に導くためのベルマウス（38）が設置されている。
【００４１】
図示してはいないが、ドレンパン（35）の内部にはフロートスイッチ及びドレンポンプが設けられ、ドレンパン（35）付近にはドレンホースが設けられている。フロートスイッチは、ドレンパン（35）内のドレン水の量を検知するセンサであって、ドレン水の量が所定量を超えた場合にオンする。ドレンポンプは、フロートスイッチと接続されており、フロートスイッチがオンとなった場合に作動して、ドレン水をドレンホースに送る。ドレンホースは、一端がドレンポンプに接続され、他端は室内ユニット（20）の外部（屋外）に接続されている。ドレンホースは、ドレン水をドレンパン（35）から室内ユニット（20）の外部に放出するためのものである。即ち、本実施形態では、ドレン水は、ドレンポンプが作動してドレン水をドレンホースに送らない限り、ドレンパン（35）内に貯留されたままとなる。
【００４２】
−傾斜センサ−
傾斜センサ（40）は、ドレンパン（35）の底部のうち下面側に取り付けられている。本実施形態では、傾斜センサ（40）は、室内ユニット本体（21）が天井（CE）に取り付けられる前に、室内ユニット本体（21）内部のドレンパン（35）の底部に取り付けられる。傾斜センサ（40）は、室内ユニット（20）の出荷前である例えば製造時に、ドレンパン（35）の底部に取り付けられることが好ましい。
【００４３】
傾斜センサ（40）は、水平面に対する室内ユニット本体（21）の傾斜角度を検出する。特に、本実施形態の傾斜センサ（40）は、室内ユニット本体（21）が単に水平面に対し傾斜しているか否かを検出するのではなく、水平面に対して室内ユニット本体（21）が傾斜している方向を更に検出する。具体的に、本実施形態に係る傾斜センサ（40）としては、２軸の傾斜センサが採用されている。この傾斜センサ（40）は、水平面上において互いに直交するＸ軸方向及びＹ軸方向のうち、室内ユニット本体（21）がどの方向にどの程度水平面から傾斜しているかを検出することができる。図４では、一例として、Ｘ軸方向において、室内ユニット本体（21）の右側部分が水平面である基準面（天井面）よりも下且つ左側が基準面よりも上となるように、室内ユニット本体（21）が水平面から角度α傾斜している場合を例示している。図４の場合、傾斜センサ（40）の検出結果は、例えば室内ユニット本体（21）の傾斜方向は“Ｘ軸のプラス方向”、傾斜角度は“α”となる。
【００４４】
なお、傾斜センサ（40）は、ドレンパン（35）の底部に直接取り付けられてもよいし、プリント基板や固定部材等を介して間接的に取り付けられていても良い。
【００４５】
−パネル駆動ユニット−
パネル駆動ユニット（55）は、室内ユニット（20）のメンテナンス時、グリルパネル（50）を室内ユニット本体（21）から下降または室内ユニット本体（21）に向けて上昇させるための機構である。パネル駆動ユニット（55）は、ワイヤ（図示せず）によってグリルパネル（50）と接続されている。ワイヤは、グリルパネル（50）の相対する２辺の約中央部分に取り付けられており、パネル駆動ユニット（55）も、グリルパネル（50）におけるワイヤの取り付け位置に対応して２つ設けられている（図１，２参照）。
【００４６】
パネル駆動ユニット（55）は、図示していないが、ワイヤの巻き付け及び繰り出しのための巻上ドラム、巻上ドラムを回転駆動させる昇降モータ、グリルパネル（50）が吸い込み口（25a）付近にあるか否かを確認するためのリミットスイッチ等を有する。
【００４７】
−室内制御部−
図３に示すように、室内制御部（60）は、メモリ（61）（記憶部に相当）及びＣＰＵ（62）等によって構成されている。室内制御部（60）は、羽根駆動モータ（27a）及び室内ファンモータ（31a）と接続されており、これらのモータ（27a,31a）の駆動制御を行う。また、室内制御部（60）は、パネル駆動ユニット（55）に含まれる昇降モータ（図示せず）とも接続されており、グリルパネル（50）の下降及び上昇の際には、昇降モータの駆動制御を行う。
【００４８】
特に、室内制御部（60）は、傾斜センサ（40）と接続されている。室内制御部（60）は、室内ユニット（20）の天井（CE）への据付が一旦行われた後に傾斜センサ（40）が出力した検出結果を、適切な値に補正して空調コントローラ（80）に出力する。
【００４９】
ここで、本実施形態において、傾斜センサ（40）が出力した検出結果を補正する理由について説明する。
【００５０】
一般的に、傾斜センサを含む様々なセンサには、たとえ同種類のセンサであっても個体差があり、故にセンサ毎に検出結果がばらつく出力誤差が生じている虞がある。また、傾斜センサ（40）のドレンパン（35）への取り付け状態が室内ユニット本体（21）毎に多少なりとも異なっている場合には、当該取り付け状態の影響を受けて傾斜センサ（40）の検出結果に予め誤差（取り付け誤差）が生じている虞もある。例えば、傾斜センサ（40）が水平面から若干傾いた状態で予めドレンパン（35）に取り付けられていれば、室内ユニット本体（21）がいくら水平に取り付けられていても、傾斜センサ（40）は傾斜している内容を検出結果として出力することになる。逆に、室内ユニット本体（21）が水平面に対し上記の場合とは逆側に傾斜して取り付けられていれば、傾斜センサ（40）は、室内ユニット本体（21）が水平に取り付けられている内容を検出結果として出力する虞もある。これらのように、傾斜センサ（40）自体に出力誤差や取り付け誤差が生じていると、室内ユニット（20）の据付時に空調コントローラ（80）に表示される情報（具体的には、室内ユニット（20）が水平に取り付けられているか否かの情報）が正確ではなくなる。すると、作業者による室内ユニット本体（20）の水平確認に影響が生じてしまう。
【００５１】
また、ドレンパン（35）の深さが浅い程、ドレン水の貯留量は減少し、室内ユニット本体（21）が僅かに傾斜していてもドレン水が漏れる場合があるため、室内ユニット本体（21）を天井（CE）に精度良く水平に取り付けるべき要求は高まる。更に、本実施形態では、既に述べたように、ドレンパン（35）内のドレン水がドレンポンプによって排出される機構が採用されている。すると、仮に室内ユニット本体（21）が水平に対し傾斜して取り付けられていても、フロートスイッチがオンしてドレンポンプが作動しない限りドレン水は排出されないため、ドレンパン（35）からドレン水が漏れる可能性は高くなる。
【００５２】
従って、本実施形態では、室内ユニット本体（21）を天井に精度良く水平（CE）に取り付けるために、傾斜センサ（40）の検出結果を補正することで、表示される情報の正確性を高めている。
【００５３】
このような動作を行うため、メモリ（61）には、傾斜センサ（40）の検出結果の補正に用いられるオフセット値が記憶される。室内制御部（60）のＣＰＵ（62）は、把握部（62a）及び補正部（62b）として機能する。
【００５４】
把握部（62a）は、室内ユニット本体（21）が実際に天井（CE）に取り付けられる前の状態にて傾斜センサ（40）が出力する検出結果を、オフセット値として把握する。把握部（62a）は、把握したオフセット値をメモリ（61）に書き込む。
【００５５】
即ち、オフセット値の把握動作は、室内ユニット（20）の天井（CE）への据付作業前、例えば室内ユニット（20）の出荷前である製造時に行われることが好ましい。オフセット値の把握の際、作業者は、先ずは図５に示すように、表面が水平に延びている作業台の上に、下板（25）を上且つ天板（23）を下に向けた上下逆の状態にて、既に傾斜センサ（40）がドレンパン（35）に取り付けられた室内ユニット本体（21）を載置させる。この図５の状態で傾斜センサ（40）が検出した結果が、オフセット値としてメモリ（61）に書き込まれる。
【００５６】
そして、補正部（62b）は、室内ユニット本体（21）を天井（CE）に一旦取り付けた後に傾斜センサ（40）が検出して出力する検出結果を、オフセット値に基づき補正する。例えば、予めメモリ（61）に書き込まれているオフセット値が、Ｘ軸のプラス方向に角度βだけ傾斜している内容であるとする。室内ユニット本体（21）を天井（CE）に取り付けた際の傾斜センサ（40）の検出結果が、例えば図４に示すようにＸ軸のプラス方向に角度αだけ傾斜している内容であれば、補正部（62b）は、角度αから角度βを減算する。これにより、減算した結果である補正結果は、“Ｘ軸のプラス方向に角度α―βだけ傾斜”となる。
【００５７】
この補正動作は、室内ユニット本体（20）が一旦天井（CE）に取り付けられた後に行われ、空調コントローラ（80）に送られる。
【００５８】
なお、本実施形態に係る室内制御部（60）は、補正結果が水平面を中心とした許容角度範囲内に収まるまでは、室内ユニット（20）の据付の際に確認的に行われる冷房運転を空気調和装置（10）に実行させない。
【００５９】
なお、許容角度範囲は、ドレンパン（35）からドレン水が漏れる虞が極力少なくなる範囲であって、ドレンパン（35）の深さ等に基づいて適宜決定される。一例としては、許容角度範囲は、X軸方向にプラス０．５度からマイナス０．５度の範囲に設定されることができる。
【００６０】
＜空調コントローラ＞
図１及び図６に示すように、空調コントローラ（80）は、主として、室内の温度及び湿度の設定や空気調和運転の実行を指示するためのボタン（81）と、空気調和装置（10）に関する情報を表示する表示部（82）（報知部に相当）とを備える。
【００６１】
特に、本実施形態に係る表示部（82）は、室内ユニット（20）が天井（CE）に一旦据付られた際に、補正結果（即ち、補正後の傾斜センサ（40）の検出結果）を室内ユニット（20）の傾斜情報（82a）として表示する。例えば、図６に示すように、傾斜情報（82a）には、室内ユニット本体（21）が傾斜している方向、及びその方向における傾斜角度が含まれる。なお、図６の傾斜情報（82a）では、一例として、室内ユニット本体（21）がＸ軸のプラス方向に角度Ｃだけ傾斜していることを表している。角度Ｃは、上述した補正結果“α−β”に相当する（Ｃ＝α―β）。
【００６２】
また、表示部（82）は、補正結果である補正後の室内ユニット本体（21）の傾斜角度が所定角度範囲外となったことで、補正結果が水平面を中心とした許容角度範囲の範囲外となった場合には、更にその旨を表示する（図６の所定角度超過情報（82b））。なお、所定角度超過情報（82b）は、補正後の室内ユニット本体（21）の傾斜角度が所定角度範囲内となったことで、補正結果が許容角度範囲内に収まった場合には、表示部（82）から消去される。
【００６３】
ここで、所定角度範囲の上限及び下限は、予め許容角度範囲の上限値や下限値に設定されることができる。
【００６４】
これにより、表示部（82）に所定角度超過情報（82b）が表示された場合、作業者は、同じく表示部（82）に表示されている傾斜情報（82a）を確認しながら室内ユニット（20）の吊り金具を微調整することで、室内ユニット本体（21）が水平に取り付けられるように作業を行うことができる。特に、傾斜情報（82a）は、室内ユニット本体（21）がどの方向にどの程度水平面から傾斜しているかを表しているため、作業者は、その表示から吊り金具をどの程度調整したら良いかを把握することができ、微調整がし易くなる。
【００６５】
また、所定角度超過情報（82b）が表示部（82）から消去されることで、作業者は、室内ユニット本体（21）が概ね水平に取り付けられていることを知ることができる。また、室内ユニット本体（21）の傾斜角度が許容角度範囲内に収まれば、室内制御部（60）による冷房運転の実行禁止が解除される。そのため、室内ユニット（20）の据付作業完了後、作業者が確認のために空調コントローラ（80）を介して冷房運転の実行を指示した場合、空気調和装置（10）は、正常に冷房運転を実行することもできる。
【００６６】
更に、傾斜情報（82a）が表示部（82）に表示されていれば、据付作業を行う作業者は、室内ユニット本体（21）が天井（CE）に水平に取り付けられていることを、ユーザやその後に電気配線工事等を行う他作業者に確認してもらうことも可能となる。
【００６７】
なお、作業者によってボタン（81）が押下されることで、傾斜情報（82a）は表示部（82）から消去されてもよい。傾斜情報（82a）の表示部（82）からの消去後、再度ボタン（81）が押下されることで、消去前の傾斜情報（82a）が再び表示部（82）に表示されても良い。
【００６８】
＜効果＞
本実施形態では、室内ユニット（20）の天井（CE）への据付の際、傾斜センサ（40）によって室内ユニット本体（21）の水平面に対する傾斜角度が検出される。その検出結果は、室内ユニット（20）とは別途設けられた遠隔制御用の空調コントローラ（80）の表示部（82）に表示される（傾斜情報（82a））。これにより、室内ユニット（20）の据付が一旦完了した後の場面等において、作業者や作業者以外の人（例えばユーザやその後に電気配線工事等を行う他作業者）は、室内ユニット本体（21）に近づくことなく、空調コントローラ（80）を介して室内ユニット本体（21）が水平であるか否かを確認できる。従って、室内ユニット本体（21）が天井（CE）に水平に取り付けられているか否かの確認作業は、安全に且つ効率的に行われる。そして、作業者は、空調コントローラ（80）に報知された傾斜情報（82a）に基づき、室内ユニット本体（21）がより水平となるように室内ユニット本体（21）の取り付け角度を微調整することができる。従って、室内ユニット本体（21）を、天井（CE）に制度良く水平に取り付けることができ、ドレン水がドレンパン（35）から漏れることを防ぐことができる。また、室内ユニット本体（21）は水平に精度良く天井（CE）に取り付けられるため、ドレンパン（35）の深さを浅くすることができる。従って、ドレンパン（35）の深さが浅くなった分だけ、ドレンパン（35）の上側に配置された室内熱交換器（33）の下部部分は、ドレンパン（35）によって空気の通りが遮られなくなるため、その分熱交換効率が上昇する。
【００６９】
また、図６に示すように、傾斜情報（82a）には、室内ユニット本体（21）の傾斜角度及び傾斜方向が含まれる。これにより、作業者は、室内ユニット本体（21）が水平であるか否かのみならず、傾斜している方向及びその方向における傾斜角度も知ることができる。従って、作業者は、傾斜情報（82a）に基づき、室内ユニット本体（21）をより水平に天井（CE）に取り付けるための微調整を行うことができる。
【００７０】
そして、室内ユニット本体（21）の傾斜角度が所定角度範囲外となった場合、その旨が所定角度超過情報（82b）として表示部（82）に表示される。従って、所定角度超過情報（82b）が表示されていることで、作業者は、室内ユニット本体（21）の傾斜角度が許容角度範囲を超えていることを知ることができる。
【００７１】
また、本実施形態では、傾斜センサ（40）がドレンパン（35）に直接的または間接的に取り付けられており、傾斜センサ（40）は、ドレンパン（35）の傾きを検出する。従って、作業者は、ドレンパン（35）からドレン水が漏れないように、より精度良く室内ユニット本体（21）を水平に近づけることができる。
【００７２】
また、本実施形態では、傾斜センサ（40）の検出結果は、オフセット値に基づき補正され、補正後の結果が傾斜情報（82a）として空調コントローラ（80）に表示される。これにより、傾斜センサ（40）の検出結果に個体差に基づく出力誤差（ばらつき）があるとしても、当該検出結果を補正した結果である補正結果に基づいて、作業者は、室内ユニット本体（21）が水平であるか否かを確認し、室内ユニット（20）の取り付け角度の微調整を行うことができる。そのため、作業者は、傾斜センサの出力誤差の影響を受けることなく、室内ユニット本体（21）を水平となるように天井（CE）により精度良く取り付けることができる。従って、ドレン水がドレンパン（35）から漏れることをより確実に防ぐことができる。
【００７３】
また、本実施形態では、室内ユニット本体（21）が天井（CE）に取り付けられる前の傾斜センサ（40）の検出結果がオフセット値として予め把握される。実際に天井（CE）に室内ユニット本体（21）が取り付けられた際の傾斜センサ（40）の検出結果は、このオフセット値によって補正され、その補正結果が表示部（82）に表示される。これにより、傾斜情報（82a）は、実際の室内ユニット本体（21）の状態を表す精度の高い情報であるため、作業者は、傾斜センサ（40）の取り付け誤差及び出力誤差に惑わされることなく、精度良く室内ユニット本体（21）をより水平に近づけることができる。
【００７４】
≪その他の実施形態≫
上記実施形態については、以下のような構成としてもよい。
【００７５】
傾斜情報（82a）は、傾斜センサ（40）の検出結果そのものであってもよい。即ち、傾斜センサ（40）の検出結果は、オフセット値に基づき補正されずとも良い。
【００７６】
室内ユニット（20）の天井（CE）への据付の際、少なくとも水平面に対する室内ユニット本体（21）の傾斜角度が検出されればよいため、傾斜センサ（40）は、ドレンパン（35）以外に取り付けられていても良い。
【００７７】
傾斜センサ（40）は、室内ユニット本体（21）の傾斜方向は検出せずに、傾斜角度のみを検出してもよい。
【００７８】
また、傾斜センサ（40）の種類は、２軸のセンサに限定されず、１軸のセンサまたは３軸のセンサ等であってもよい。
【００７９】
室内ユニット本体（21）に取り付けられる傾斜センサ（40）の数は、１つであってもよいし、複数であってもよい。
【００８０】
傾斜センサ（40）の検出結果の補正が行われる場合、オフセット値は、室内ユニット（20）の天井（CE）への据付前における傾斜センサ（40）の出力値ではなく、予め適宜設定された値であってもよい。
【００８１】
傾斜情報（82a）は、空調コントローラ（80）の表示に代えてまたは当該表示に加えて、ブザーや音声等の音により出力されてもよい。即ち、傾斜情報（82a）の報知手段は、表示に限定されない。
【００８２】
室内ユニットの種類は、天井（CE）に埋め込まれたり設置されたりするタイプであればよい。従って、室内ユニットは、空気を４方向に吹き出すタイプではなく、空気を２方向や１方向に吹き出すタイプであってもよい。
【００８３】
傾斜センサ（40）の検出結果の補正が行われる場合、オフセット値の把握の際に室内ユニット本体（21）が採る姿勢は、図５に限定されない。例えば、図１の状態にて吊り金具を横方向から支えることで、室内ユニット本体（21）をできる限り水平にし、室内ユニット本体（21）の上下を逆にすることなくオフセット値が把握されてもよい。
【００８４】
また、所定角度超過情報（82b）の表示は、必ずしも必須ではない。表示部（82）には、室内ユニット本体（21）の傾斜角度が所定角度となったか否かに関係なく、傾斜情報（82a）のみ表示されてもよい。
【産業上の利用可能性】
【００８５】
以上説明したように、本発明は、天井に設置されるタイプの室内ユニットを備えた空気調和装置について有用である。
【符号の説明】
【００８６】
21  室内ユニット本体
33  室内熱交換器
35  ドレンパン
40  傾斜センサ
61  メモリ（記憶部）
62a  把握部
62b  補正部
82  表示部（報知部）
【図１】
0006398463.tif 000002
【図２】
0006398463.tif 000003
【図３】
0006398463.tif 000004
【図４】
0006398463.tif 000005
【図５】
0006398463.tif 000006
【図６】
0006398463.tif 000007